(57)【特許請求の範囲】
【請求項１】
木質材で成る平坦板状の表面層と裏面層との間に、平坦板状のダンボールを中間層として介在して成る積層材であって、前記中間層の適所に空気浄化作用を有するフィルター材を配設せしめ、このフィルター材を境にした左右若しくは上下に位置する中間層と，前記表面層の外部若しくは前記裏面層の外部とを連通する通気孔を表面層若しくは前記裏面層に設けたことを特徴とする積層材。
【請求項２】
木質材で成る平坦板状の表面層と裏面層との間に、紙材の細片を固めて構成した通気性のある平坦板を中間層として介在して成る積層材であって、前記中間層の適所に空気浄化作用を有するフィルター材を配設せしめ、このフィルター材を境にした左右若しくは上下に位置する中間層と，前記表面層の外部若しくは前記裏面層の外部とを連通する通気孔を表面層若しくは前記裏面層に設けたことを特徴とする積層材。
【請求項３】
木質材で成る平坦板状の表面層と裏面層との間に、中空構造のアルミ材を中間層として介在して成る積層材であって、前記中間層の適所に空気浄化作用を有するフィルター材を配設せしめ、このフィルター材を境にした左右若しくは上下に位置する中間層と，前記表面層の外部若しくは前記裏面層の外部とを連通する通気孔を表面層若しくは前記裏面層に設けたことを特徴とする積層材。
【請求項４】
竹を長さ方向に細断した断面長方形形状の切断竹材を並列接着せしめて形成した平坦板状の前記表面層と前記裏面層を採用したことを特徴とする請求項１〜３のいずれか１項に記載の積層材。
【発明の詳細な説明】
【０００１】
【発明の属する技術分野】
本発明は、例えば、建築用や家具用のパネル材、枠材などとして使用することができる積層材に関するものである。
【０００２】
【従来の技術及び発明が解決しようとする課題】
従来、この種の積層材としては色々なものがあるが、本発明は、軽量で遮音性に秀れ、且つ製作容易でコスト安となりリサイクル性にも秀れた画期的な積層材を提供するものである。
【０００３】
【課題を解決するための手段】
添付図面を参照して本発明の要旨を説明する。
【０００４】
木質材で成る平坦板状の表面層Ａと裏面層Ｂとの間に、平坦板状のダンボール２を中間層Ｃとして介在して成る積層材であって、前記中間層Ｃの適所に空気浄化作用を有するフィルター材５を配設せしめ、このフィルター材５を境にした左右若しくは上下に位置する中間層Ｃと，前記表面層Ａの外部若しくは前記裏面層Ｂの外部とを連通する通気孔６を表面層Ａ若しくは前記裏面層Ｂに設けたことを特徴とする積層材に係るものである。
【０００５】
また、木質材で成る平坦板状の表面層Ａと裏面層Ｂとの間に、紙材の細片を固めて構成した通気性のある平坦板３を中間層Ｃとして介在して成る積層材であって、前記中間層Ｃの適所に空気浄化作用を有するフィルター材５を配設せしめ、このフィルター材５を境にした左右若しくは上下に位置する中間層Ｃと，前記表面層Ａの外部若しくは前記裏面層Ｂの外部とを連通する通気孔６を表面層Ａ若しくは前記裏面層Ｂに設けたことを特徴とする積層材に係るものである。
【０００６】
また、木質材で成る平坦板状の表面層Ａと裏面層Ｂとの間に、中空構造のアルミ材４を中間層Ｃとして介在して成る積層材であって、前記中間層Ｃの適所に空気浄化作用を有するフィルター材５を配設せしめ、このフィルター材５を境にした左右若しくは上下に位置する中間層Ｃと，前記表面層Ａの外部若しくは前記裏面層Ｂの外部とを連通する通気孔６を表面層Ａ若しくは前記裏面層Ｂに設けたことを特徴とする積層材に係るものである。
【０００７】
また、竹を長さ方向に細断した断面長方形形状の切断竹材１を並列接着せしめて形成した平坦板状の前記表面層Ａと前記裏面層Ｂを採用したことを特徴とする請求項１〜３のいずれか１項に記載の積層材に係るものである。
【０００８】
【発明の実施の形態】
好適と考える本発明の実施の形態（発明をどのように実施するか）を、図面に基づいてその作用効果を示して簡単に説明する。
【０００９】
木質材でなる平坦板状の表面層Ａと裏面層Ｂとの間に、平坦板状のダンボール２を中間層Ｃとして介在するか、若しくは紙材の細片を固めて構成した通気性のある平坦板３を中間層Ｃとして介在するか、若しくは中空構造のアルミ材４を中間層Ｃとして介在して積層材Ｓを構成する。
【００１０】
この本発明の積層材Ｓは、中間層Ｃがダンボール２か、若しくは紙材の細片を固めた平坦板３か、若しくは中空構造のアルミ材４であるから、この中間層Ｃ自体が軽量であるために積層材Ｓも軽く取り扱いが容易となる上、このいずれの中間層Ｃも空気が介在する構造であるために介在する空気層により良好な遮音効果が得られることになり、しかもこれらの中間層Ｃを構成する素材は原価が安いために安価な製品として提供できるし、この中間層Ｃとして上記と同形質の不要となったリサイクル材を使用することもできるのでリサイクル及びリユース性にも秀れ、リサイクル材の使用により一層安価な資材の循環型製品を提供可能となる。
【００１１】
また、本発明は、単に木質製板材である表面層Ａと裏面層Ｂとの間に前記中間層Ｃを介在するだけで構成できるため、この構成は簡易に設計実現可能な構成であり、量産性に秀れ安価な製品を提供できることになる。
【００１２】
また、例えば、竹を長さ方向に細断した断面長方形形状の切断竹材１を並列接着せしめて形成した平坦板状の前記表面層Ａと前記裏面層Ｂを採用すれば、竹は成長が早く資源が豊富で入手が容易な上に、この竹を複数並列接着して板状にした表面層Ａと裏面層Ｂには断熱・耐食・防湿性があり、また、表面層Ａと裏面層Ｂとに竹の表皮や節或いは竹の柾目調などが表れることになるので、竹のもつ素材の美しさが外観上に表れて極めて体裁良好となり、しかもこの表面層Ａ，裏面層Ｂのいずれにも竹の模様が表れるために、表裏どちらの面を表面としても美しい外観体裁が得られることになる。
【００１３】
また、例えば、前記中間層Ｃの適所に空気浄化作用を有するフィルター材５を配設せしめ、このフィルター材５を境にした左右若しくは上下に位置する中間層Ｃと，前記表面層Ａの外部若しくは前記裏面層Ｂの外部とを連通する通気孔６を表面層Ａ若しくは前記裏面層Ｂに設ければ、通気孔６により積層材Ｓ内に空気流通機能を有するので、例えば壁材として使用し、通気孔６を内壁に位置させると共にフィルター材５の上下に通気孔６が位置するようにして積層材Ｓを設置すれば、室内の空気が下方の通気孔６から中間層Ｃに取り入れられ、この中間層Ｃの空気は例えば暖気の上昇作用などによって自然と上昇した後、上方の通気孔６から室内へと循環することになるので、この循環作用により室内の空気が淀まず結露なども防止されることになる上、この循環路（中間層Ｃ）の途中にフィルター材５が位置するために、このフィルター材５により浄化された空気が室内へと循環することになるなど空気清浄機能も有する極めて実用性に秀れた積層材Ｓとなる。
【００１４】
【実施例】
本発明の具体的な実施例について図面に基づいて説明する。
【００１５】
本実施例は、木質材で成る平坦板状の表面層Ａと裏面層Ｂとの間に、中間層Ｃを介在して積層材Ｓを構成している。
【００１６】
以下、具体的に説明すると、図１、図２は第一実施例、図３は第二実施例、図４は第三実施例、図５は第四実施例、図６は第五実施例、図７〜図９は第六実施例を示している。
【００１７】
第一，第二実施例について説明する。
【００１８】
本実施例の表面層Ａと裏面層Ｂは、複数の切断竹材１を表裏面以外の長手方向の側面同士が隣り合うように並列させている。更に詳しくは、複数の切断竹材１をその表皮側が一律に同じ方向を向くようにして左右に並べ、この並設する切断竹材１の左右側面同士を並列接着させて構成している。
【００１９】
即ち、この表面層Ａと裏面層Ｂとは、いずれも表面側に竹の表皮が表れて美しい外観体裁が得られ、裏面側には裏皮が表れるように構成している。
【００２０】
尚、この表面層Ａと裏面層Ｂとは、表面に竹の柾目や板目が表れるように構成しても良い。
【００２１】
中間層Ｃについて説明すると、本実施例では、不要となったダンボール板２を中間層Ｃとして使用した場合を示している。尚、請求項１中の「ダンボール」なる記載は、紙製のダンボールもプラスチックダンボールも含む意味合いで用いているものである。
【００２２】
また、図１，図２に示す第一実施例では、一枚（一層）のダンボール板２を中間層Ｃとし、図３に示す第二実施例では、二枚（二層）のダンボール板２を重ねて中間層Ｃとした場合を示している。
【００２３】
本実施例では、この中間層Ｃと、前記表面層Ａ及び裏面層Ｂを、単に各層の隣接面同士を接着することで一体化させて積層材Ｓに構成している。従って単に表面層Ａと裏面層Ｂと中間層Ｃとを接着することで簡易に本実施例の積層材Ｓを構成できる構成としている。図中符号７は接着層である。
【００２４】
また、この表面層Ａと裏面層Ｂとは、構成材である前記切断竹材１の表皮側が表側となるようにして中間層Ｃと接着している。即ち、表面層Ａと裏面層Ｂとを構成する切断竹材１の裏皮側が接着面となるように構成している。
【００２５】
このように構成した本実施例によると、中間層Ｃが軽量なダンボール２であるため、積層材Ｓ自体が軽く取り扱い容易となる上に、ダンボール２内に介入している空気層により良好な遮音効果が発揮されることになり、しかも中間層Ｃは、不要ダンボール２をリサイクルして構成するから材料コスト安で安価な製品として提供できるし、リサイクル性にも秀れるなどの効果がある。
【００２６】
このように構成した本実施例の積層材Ｓは、様々な建築パネルや建築材料或いは家具用材料（テーブル，棚，パーテーション，ドア材等）などとして使用することができる。
【００２７】
また、特に、中間層Ｃとしてダンボール２を使用した本実施例の場合には、この中間層Ｃ部分に、積層材Ｓに対して例えば取手などの付設具を取り付けするための取付用基材を埋設しておけば、この取付用基材に表面層Ａ若しくは裏面層Ｂを介して付設具を止着するためのネジや釘などの止着具を強固に止着できることになり、これにより付設具を積層材Ｓに強固に付設することができる。
【００２８】
また、例えば、本実施例の積層材Ｓを建築物の壁材として使用する場合に、中間層Ｃに適宜な空洞部分を形成しておけば、この空洞部分に電気配線して積層材Ｓ表面にコンセントを設置することも簡易に行われるし、同様にして空洞部に電気配設して積層材Ｓの表面に薄型テレビ（液晶テレビ）などを設置することも容易に可能となる。即ち、電気配線工事も壁面施工工事と同時に行われることになる秀れた構成となる。
【００２９】
また、本実施例の積層材Ｓの表面に、例えばセラミックなどのコーティングを行うことによって外壁材としての使用も可能となる。即ち、建築物の外側に位置する異種材の外装部に、コーティングを施した本実施例の積層材Ｓを貼り合わせることで外壁を完成できる。
【００３０】
第三実施例について説明する。
【００３１】
本実施例は、前記第一実施例において表面層Ａと裏面層Ｂとの構成を異ならせた場合である。
【００３２】
具体的に説明すると、複数の切断竹材１を表裏面同士が隣り合うように並列接着させて平坦板状の表面層Ａと裏面層Ｂとを構成している。
【００３３】
即ち、本実施例の表面層Ａと裏面層Ｂとは、表裏面に竹の柾目模様が表れて美しい外観体裁が得られるように構成している。
【００３４】
また、本実施例では、多数の切断竹材１の表裏面同士が隣り合うように並列すると共に、この隣り合う切断竹材１同士が表裏反対となるように並列接着させて前記平坦板状の表面層Ａと裏面層Ｂとを構成している。
【００３５】
従って、このように構成することにより、多数の切断竹材１は、夫々が経年変化により次第に反り変形を生じてくるが、この反り変形が隣接する切断竹材１の反り方向とは逆方向に反ろうとするために隣接する切断竹材１の反り変形が互いに打ち消されるように作用して、各切断竹材１の変形が阻止されるように変形強度のバランスが取られることになるので、板状の表面層Ａと裏面層Ｂが変形しにくく、長期間平坦板状が維持される極めて商品価値の高い構成となる。
【００３６】
第四実施例について説明する。
【００３７】
本実施例は、前記第一実施例において中間層Ｃの構成を異ならせた場合である。
【００３８】
具体的に説明すると、本実施例の中間層Ｃは、不要となった紙材を粉砕し、この粉砕した紙材の細片を通気性を損なわないように接着剤などで固めて構成した通気性を有する平坦板３を中間層Ｃとして使用した場合を示している。
【００３９】
また、例えば、パルプなどの紙材を粉砕する工程で竹と一緒に粉砕して、この紙と竹とが混ざった細片を固めて中間層Ｃを構成すれば、紙材だけで成る中間層Ｃに比してより強度の高いものができあがる。
【００４０】
このように構成した本実施例においても、中間層Ｃが紙材の細片を固めた軽量な平坦板３であるため、積層材Ｓ自体が軽く取り扱い容易となる上に、通気性のあるこの平坦板３内に介入している空気層により良好な遮音効果が発揮されることになり、しかも中間層Ｃは、不要となった紙材をリサイクルして構成するから材料コスト安で安価な製品として提供できるし、リサイクル性にも秀れるなどの効果がある。
【００４１】
第五実施例について説明する。
【００４２】
この第五実施例も、前記第一実施例において中間層Ｃの構成を異ならせたもので、本実施例では、中空構造のアルミ材４を中間層Ｃとして使用した場合を示している。
【００４３】
更に具体的に説明すると、本実施例では、中空構造のアルミ材４として不要となったアルミ材４をリサイクルして採用した場合を示している。
【００４４】
また、この中空構造のアルミ材４としては、特にハニカム構造（並列空洞構造）のアルミ材４を採用した場合を示している。
【００４５】
このように構成した本実施例においても、中間層Ｃが軽量なアルミ材４であるため、積層材Ｓ自体が軽く取り扱い容易となる上に、中空構造のアルミ材４内に介入している空気層により良好な遮音効果が発揮されることになり、しかも中間層Ｃは、不要となった中空構造のアルミ材４をリサイクルして構成するから材料コスト安で安価な製品として提供できるし、リサイクル性にも秀れるなどの効果がある。
【００４６】
第六実施例について説明する。
【００４７】
本実施例は、前記第一実施例において、前記中間層Ｃの適所に空気浄化作用を有するフィルター材５を配設し、このフィルター材５を境にした左右若しくは上下に位置する中間層Ｃと，前記表面層Ａの外部とを連通する通気孔６を表面層Ａに設けた場合である。
【００４８】
具体的に説明すると、本実施例の積層材Ｓは、建築物の壁材として使用した場合を示している。
【００４９】
この積層材Ｓの中間層Ｃの途中にフィルター材５を配設し、このフィルター材５から間隔を置いた図面上下位置に夫々表面層Ａと中間層Ｃとを連通する通気孔６を設けている。
【００５０】
このように構成した本実施例の積層材Ｓを壁材として使用し、表面層Ａが内壁となるように（通気孔６が内壁に位置するように）すると共にフィルター材５の上下に通気孔６が位置するようにして建築物の室内を構成すると、下方に位置する通気孔６から室内の空気が取り込まれ、この取り込まれた空気は暖かい空気が上昇する作用に伴って上昇し、フィルター材５を上昇通過して浄化された後、上方に位置する通気孔から再び室内へと循環することとなるように構成している。即ち、本実施例では、空気流通機能と空気浄化作用とを備えた積層材Ｓに構成している。
【００５１】
また、フィルター材５について具体的に説明すると、図８に示すように波状にした不織布に竹炭若しくは木炭の粉末を付設して構成している。
【００５２】
このフィルター材５としての不織布を波状にしたのは、流通する空気との接触面積を大きくして空気浄化作用を向上させるためである。尚、この波状のフィルター材５は、不織布以外にも和紙やメッシュ素材などでも良く、要は通気性を有するものであれば良い。
【００５３】
また、図９はフィルター材５の別例を示しているもので、並列空洞構造の板材に竹炭や木炭を塗布して構成している。図面では、並列空洞構造の板材を三段に重ねた三層構造のフィルター材５に構成しているが、一層（一段）構造としても良いし、何層構造でも良い。特に、三層構造としたのは、流通する空気との接触面積を大きくして浄化作用を向上させるためである。
【００５４】
このように構成したフィルター材５の具体的な浄化作用としては、竹炭や木炭により脱臭，除湿，森林浴効果などが得られる。
【００５５】
従って、本実施例では、このように壁材としての積層材Ｓが空気流通機能を有するので、室内の空気が淀まず、結露なども防止できることになる上、空気清浄機能もある実用性に秀れた壁材（積層材Ｓ）となる。
【００５６】
尚、本発明は、本実施例に限られるものではなく、各構成要件の具体的構成は適宜設計し得るものである。
【００５７】
【発明の効果】
本発明は上述のように構成したから、中間層が軽量なダンボール若しくは紙材の細片を固めた軽量な平坦板若しくは中空構造の軽量なアルミ材であるため、軽量で取り扱い容易な積層材に仕上がることになる上、内部に空気が介入しているこれらの中間層を表面層と裏面層との間に介在することで良好な遮音効果も発揮されることとなり、しかもこれらの中間層を構成する素材は原価が安いために安価な製品として提供できるし、この中間層には前記と同形質のリサイクル材を使用することもできるのでリサイクル性にも秀れることとなり、更に本発明は、単に木質製板材である表面層と裏面層との間に前記中間層を介在するだけで構成できるため、この構成は簡易に設計実現可能な構成であり、量産性に秀れ安価な製品を提供できることになるなど極めて実用性に秀れた画期的な積層材となる。
【００５８】
また、本発明においては、通気孔により空気流通機能を有するので、例えば壁材として使用すれば、室内の空気が淀まず、結露なども防止できることになる上、通気孔間に配されたフィルター材により積層材内を流通する空気の清浄機能も有しているため、清浄された空気を室内に循環することになる極めて実用性に秀れた積層材となる。
【００５９】
また、請求項４記載の発明においては、竹は成長が早く資源が豊富で入手が容易な上に、この竹を複数並列接着して板状にした表面層と裏面層には断熱・耐食・防湿性があり、更に表面層と裏面層とに竹の表皮や節或いは竹の柾目調などが表れることとなるので、竹のもつ素材の美しさが外観上に表れて極めて体裁良好となり、しかもこの表面層，裏面層のいずれにも竹の模様が表れるために、表裏どちらの面を表面としても美しい外観体裁が得られることになる一層実用性に秀れた構成の積層材となる。
【図面の簡単な説明】
【図１】  第一実施例を示す斜視図である。
【図２】  第一実施例を示す部分拡大側面図である。
【図３】  第二実施例を示す部分拡大側面図である。
【図４】  第三実施例を示す部分拡大側面図である。
【図５】  第四実施例を示す部分拡大側面図である。
【図６】  第五実施例を示す一部を切り欠いた部分拡大平面図である。
【図７】  第六実施例を示す部分拡大側面図である。
【図８】  第六実施例のフィルター材の拡大側面図である。
【図９】  第六実施例のフィルター材の別例を示す拡大側面図である。
【符号の説明】
１  切断竹材
２  ダンボール
３  平坦板
４  アルミ材
５  フィルター材
６  通気孔
Ａ  表面層
Ｂ  裏面層
Ｃ  中間層
【図１】
0004400846.tif 000002
【図２】
0004400846.tif 000003
【図３】
0004400846.tif 000004
【図４】
0004400846.tif 000005
【図５】
0004400846.tif 000006
【図６】
0004400846.tif 000007
【図７】
0004400846.tif 000008
【図８】
0004400846.tif 000009
【図９】
0004400846.tif 000010